(57)【要約】【課題】壁際の集塵性能を維持するとともに操作性がよく、かつ耐久性を向上させた電気掃除機用吸込具およびそれを用いた電気掃除機を提供することを目的とする。【解決手段】塵埃を吸引する開口部１５を有する吸込具本体３と、前記吸込具本体３に連通し回動自在の接続管９とを備え、前記開口部１５の後方には、前記接続管９の軸方向の中心軸に対して左右両方向に被掃除面との接触部を有するローラーを、前後方向に少なくとも２列（２２、２３）以上設けるとともに、前記開口部１５の前方には軟質材で形成された部材２０を設けたもので、操作性が軽くなり使用性を向上できるとともに、壁際での集塵性能が高い吸込具を提供することができる。【選択図】図３
2005253734.tif 000002
【特許請求の範囲】
【請求項１】
塵埃を吸引する開口部を有する吸込具本体と、前記吸込具本体に連通し回動自在の接続管とを備え、前記開口部の後方には、前記接続管の軸方向の中心軸に対して左右両方向に被掃除面との接触部を有するローラーを、前後方向に少なくとも２列以上設けるとともに、前記開口部の前方には軟質材で形成された部材を設けた電気掃除機用吸込具。
【請求項２】
前後方向に少なくとも２列以上設けたローラーのうち、少なくとも１列以上のローラーの左右方向の接触部を、複数に分割して設けた請求項１記載の電気掃除機用吸込具。
【請求項３】
最後方のローラーを、接続管の軸方向の中心軸の延長線より後方に設けた請求項１または２記載の電気掃除機用吸込具。
【請求項４】
前後方向に少なくとも２列以上設けたローラーのうち、少なくとも１列以上のローラーの左右方向の被掃除面との接触部を、接続管の軸方向の中心軸に対して略対称となるように形成した請求項１〜３のいずれか１項に記載の電気掃除機用吸込具。
【請求項５】
吸込具本体に被掃除面上の塵埃を掻き上げる塵埃除去体と、前記塵埃除去体の駆動源である電動機と、前記電動機に電気的に接続され、被掃除面との接触度合いに基づいて前記塵埃除去体を駆動させる床面検出手段とを備え、前記床面検出手段を、前後方向に少なくとも２列以上設けたローラーのうち、少なくとも１列以上のローラーの被掃除面との接触部よりも内方に設けた請求項１〜４のいずれか１項に記載の電気掃除機用吸込具。
【請求項６】
吸込具本体に被掃除面上の塵埃を掻き上げる塵埃除去体と、前記塵埃除去体の駆動源である電動機とを備え、前記電動機を、前後方向に少なくとも２列以上設けたローラーのうち、少なくとも１列以上のローラーの被掃除面との接触部よりも内方に設けた請求項１〜４のいずれか１項に記載の電気掃除機用吸込具。
【請求項７】
吸込具本体に被掃除面上の塵埃を掻き上げる塵埃除去体を備え、前記塵埃除去体を、前後方向に少なくとも２列以上設けたローラーのうち、少なくとも１列以上のローラーの被掃除面との接触部よりも内方に設けた請求項１〜４のいずれか１項に記載の電気掃除機用吸込具。
【請求項８】
ローラーの外周部の材質として軟質材を用いた請求項１〜７のいずれか１項に記載の電気掃除機用吸込具。
【請求項９】
ローラーの材質として樹脂を用いた請求項１〜７のいずれか１項に記載の電気掃除機用吸込具。
【請求項１０】
軟質材を吸込具本体の前方まで延設して形成した請求項１〜９のいずれか１項に記載の電気掃除機用吸込具。
【請求項１１】
軟質材としてゴム・フェルト・起毛布等を用いた請求項１〜１０いずれか１項に記載の電気掃除機用吸込具。
【請求項１２】
塵埃を吸引する開口部を有する吸込具本体と、前記吸込具本体に連通し回動自在の接続管とを備え、前記開口部の前方には起毛布で形成された部材を設けるとともに、前記起毛布に潤滑材を塗布、もしくは前記起毛布を形成する繊維に潤滑材を含侵させた電気掃除機用吸込具。
【請求項１３】
吸引風を発する電動送風機と、前記電動送風機を内蔵する掃除機本体とを備え、請求項１〜１２のいずれか１項に記載の電気掃除機用吸込具が前記電動送風機に連通する構成とした電気掃除機。
【発明の詳細な説明】
【技術分野】
【０００１】
本発明は、電気掃除機用吸込具およびそれを用いた電気掃除機に関するものである。
【背景技術】
【０００２】
従来のこの種の電気掃除機用吸込具および電気掃除機は、吸込口体には開口部の前方に左右一対で吸込口体に固定された固定起毛布と、開口部の後方に左右一対で固定された固定起毛布と、吸込口後端には回転自在に固定された起毛布ローラーが設けられており、前方の固定起毛布の下端は後方の固定起毛布の下端と起毛布ローラーの下端を結ぶ稜線よりも上方に配している。
【０００３】
上記構成により、吸込具は吸込口後方の左右一対の起毛布と吸込口後端の起毛布ローラーにより支持されている（例えば、特許文献１参照）。
【特許文献１】特開２００３−１５３８３５号公報
【発明の開示】
【発明が解決しようとする課題】
【０００４】
しかしながら前記従来の構成では、一方の支持はローラーであるがもう一方の支持は固定起毛布によって吸込具を支持しているため、固定起毛布と被掃除面との摩擦が大きく吸込具の操作性が悪化していた。また、起毛布が摩擦によって磨耗してしまう問題を有していた。
【０００５】
本発明は上記従来の課題を解決するもので、壁際の集塵性能を維持するとともに操作性がよく、かつ耐久性を向上させた電気掃除機用吸込具およびそれを用いた電気掃除機を提供することを目的としている。
【課題を解決するための手段】
【０００６】
前記従来の課題を解決するために、本発明の電気掃除機用吸込具は、塵埃を吸引する開口部を有する吸込具本体と、前記吸込具本体に連通し回動自在の接続管とを備え、前記開口部の後方には、前記接続管の軸方向の中心軸に対して左右両方向に被掃除面との接触部を有するローラーを、前後方向に少なくとも２列以上設けるとともに、前記開口部の前方には軟質材で形成された部材を設けたもので、前記接続管の軸方向の中心軸に対して左右両方向に外方に、被掃除面との接触部を有するローラーを前後方向に少なくとも２列以上設けたことで、操作性が軽くなり使用性を向上できるとともに、開口部の前方には軟質材で形成された部材を設けたことで、壁際での集塵性能が高い吸込具を提供することができる。
【発明の効果】
【０００７】
本発明によれば、壁際の集塵性能を維持するとともに操作性がよく、かつ耐久性を向上させた電気掃除機用吸込具およびそれを用いた電気掃除機を提供できる。
【発明を実施するための最良の形態】
【０００８】
本発明の第１の発明は、塵埃を吸引する開口部を有する吸込具本体と、前記吸込具本体に連通し回動自在の接続管とを備え、前記開口部の後方には、前記接続管の軸方向の中心軸に対して左右両方向に被掃除面との接触部を有するローラーを、前後方向に少なくとも２列以上設けるとともに、前記開口部の前方には軟質材で形成された部材を設けたもので、前記接続管の軸方向の中心軸に対して左右両方向に外方に、被掃除面との接触部を有するローラーを前後方向に少なくとも２列以上設けたことで、操作性が軽くなり使用性を向上できるとともに、開口部の前方には軟質材で形成された部材を設けたことで、壁際での集塵性能が高い吸込具を提供することができる。
【０００９】
本発明の第２の発明は、前後方向に少なくとも２列以上設けたローラーのうち、少なくとも１列以上のローラーの左右方向の接触部を、複数に分割して設けたもので、ローラーを分割することにより支点を分散させることができ、より安定した操作の行える吸込具を提供することができる。
【００１０】
本発明の第３の発明は、最後方のローラーを、接続管の軸方向の中心軸の延長線より後方に設けたもので、使用者が吸込具本体を被掃除面上にて移動操作するとき、接続管の軸方向の中心軸の延長線の向きに力が作用するが、最後方のローラーが、接続管の軸方向の中心軸の延長線より後方に設けてあるため、前記作用した力は、前後方向に少なくとも２列以上設けたローラー間に作用することになるため、操作する際の力を直接支えることができ、操作性が軽くなり使用性を向上できる。
【００１１】
本発明の第４の発明は、前後方向に少なくとも２列以上設けたローラーのうち、少なくとも１列以上のローラーの左右方向の被掃除面との接触部を、接続管の軸方向の中心軸に対して略対称となるように形成したもので、左右対称に配置することにより吸込具本体にかかる力を左右方向に均等に支えられ、安定した操作を行える吸込具を提供することができる。
【００１２】
本発明の第５の発明は、吸込具本体に被掃除面上の塵埃を掻き上げる塵埃除去体と、前記塵埃除去体の駆動源である電動機と、前記電動機に電気的に接続され、被掃除面との接触度合いに基づいて前記塵埃除去体を駆動させる床面検出手段とを備え、前記床面検出手段を、前後方向に少なくとも２列以上設けたローラーのうち、少なくとも１列以上のローラーの被掃除面との接触部よりも内方に設けたもので、ローラーの被掃除面との接触部の内側に床面検出手段を設けることにより、上下方向へのブレを少なくし安定して動作させることができる吸込具を提供することができる。
【００１３】
本発明の第６の発明は、吸込具本体に被掃除面上の塵埃を掻き上げる塵埃除去体と、前記塵埃除去体の駆動源である電動機とを備え、前記電動機を、前後方向に少なくとも２列以上設けたローラーのうち、少なくとも１列以上のローラーの被掃除面との接触部よりも内方に設けたもので、吸込具の部品の中でも重量のある電動機をローラーの被掃除面との接触部よりも内側に設けることによりバランスが良くなり、安定した操作の行える吸込具を提供することができる。
【００１４】
本発明の第７の発明は、吸込具本体に被掃除面上の塵埃を掻き上げる塵埃除去体を備え、前記塵埃除去体を、前後方向に少なくとも２列以上設けたローラーのうち、少なくとも１列以上のローラーの被掃除面との接触部よりも内方に設けたもので、吸込具の部品の中でも長手方向に長い塵埃除去体を、ローラーの被掃除面との接触部よりも内側に設けることによりバランスが取れ、安定した操作の行える吸込具を提供することができる。
【００１５】
本発明の第８の発明は、ローラーの外周部の材質として軟質材を用いたもので、吸込具が被掃除面と衝突した時の衝撃を吸収することができ、また被掃除面の傷つきを防止することができる吸込具を提供することができる。
【００１６】
本発明の第９の発明は、ローラーの材質として樹脂を用いたもので、ローラーをＰＰ等の樹脂部品で構成することにより安価で軽量な吸込具を提供することができる。
【００１７】
本発明の第１０の発明は、軟質材を吸込具本体の前方まで延設して形成したもので、壁際および被掃除面への傷つきを防止することができる吸込具を提供することができる。
【００１８】
本発明の第１１の発明は、軟質材としてゴム・フェルト・起毛布等を用いたもので、吸込具が壁際および被掃除面と衝突した時の衝撃を吸収することができ、また壁際および被掃除面の傷つきを防止することができる吸込具を提供することができる。
【００１９】
本発明の第１２の発明は、塵埃を吸引する開口部を有する吸込具本体と、前記吸込具本体に連通し回動自在の接続管とを備え、前記開口部の前方には起毛布で形成された部材を設けるとともに、前記起毛布に潤滑材を塗布、もしくは前記起毛布を形成する繊維に潤滑材を含侵させたもので、吸込具本体が、被掃除面と衝突した時の衝撃を吸収することができ、また、被掃除面の傷つきを防止することができるとともに、潤滑材を塗布もしくは繊維に塗布させたことにより、被掃除面との摩擦抵抗を減少させ操作性のよい吸込具を提供することができる。
【００２０】
本発明の第１３の発明は、吸引風を発する電動送風機と、前記電動送風機を内蔵する掃除機本体とを備え、請求項１〜１２のいずれか１項に記載の電気掃除機用吸込具が前記電動送風機に連通する構成とした電気掃除機で、操作性に優れた吸込具を有する電気掃除機を提供することができる。
【００２１】
以下、本発明の実施の形態について、図面を参照しながら説明する。なお、この実施の形態によって本発明が限定されるものではない。
【００２２】
（実施の形態１）
以下、本発明の第１の実施の形態を、図１〜図３を用いて説明する。
【００２３】
本実施形態は、図１に示すような床移動型の電気掃除機１及びその塵埃吸込口となる吸込具本体３について示すものである。この電気掃除機１は、先端に吸込具本体３を着脱可能に装着した延長管２は手元ハンドル（手元操作筒）４に連結され、手元ハンドル４から延出するホース６はホース継ぎ手５によって掃除機本体７に連結されている。
【００２４】
上記吸込具本体３は、図２に示すように、前記延長管２に連結するための接続管（連結部）９に回動連結部（回動連結手段）８を介して、吸気ヘッド１０が接続された小型ノズル１１を、床ノズル１２に着脱自在に装着して構成されている。
【００２５】
接続管９は、回動連結部８により上下方向および左右方向に回動自在に保持されている。床ノズル１２に対する小型ノズル１１の着脱は、床ノズル１２に設けられた操作レバー１３を押し下げることにより小型ノズル１１を把持する保持具１４の把持状態が解放されて小型ノズル１１を床ノズル１２から離脱させることができ、小型ノズル１１を用いて狭い場所の掃除ができ、保持具１４内に小型ノズル１１を載せて軽く押圧することにより小型ノズル１１は床ノズル１２に装着され、床ノズル１２を用いて床面の掃除を効率よく行なうことができる。
【００２６】
塵埃を吸引し、前記床ノズル１２の下面に形成された開口部１５内には、塵埃掻き上げ体として複数のブラシ１６を有する塵埃除去体１７を配し、この塵埃除去体１７は床面検出レバー（床面検出手段）２１が被掃除面に接触したとき回動し内部のリミットスイッチ（図示せず）をＯＮ状態に切り替えることにより電力を供給される電動機１８からベルト１９を介して回転力を伝達され回転する構成となっている。
【００２７】
また、開口部１５の前方には、左右一対で床ノズル１２の前壁２４より下面２５にかけて延設され略Ｌ字状に固定され、潤滑材を繊維に練りこませてあり、かつ前方から後方にかけて倒れる方向に倒伏加工を施している固定起毛布２０が設けてある。
【００２８】
また、開口部１５の後方で床ノズル１２の下面２５には、外周部の材質がフェルトであるローラーＡ２２が、接続管９の軸方向の中心軸に対して略左右対称で、前記接続管９の最大径部より外方に設けられており、塵埃除去体１７および電動機１８および床面検出レバー２１が、前記ローラーＡ２２間の内方になるように設けられている。
【００２９】
また、ローラーＡ２２のさらに後方に、外周部の材質がフェルトであるローラーＢ２３が、接続管９の軸方向の中心軸の延長線より後方に、前記接続管９の軸方向の中心軸に対して略左右対称で、かつ前記接続管９の最大径部より外方に設けられている。
【００３０】
なお、本実施例ではローラーＡ２２およびローラーＢ２３を２個ずつ設けたが、１個のローラーで接続管９の軸方向の中心軸と交差し、接続管９の外側の左右両方向に被掃除面との接触部を有するものでも十分操作性のよさおよび安定性は得られる。
【００３１】
また、本実施例では床面検出手段として床面検出レバー２１を用いたが、電気的に床面を検出できるものなどの床面を認識できるものであればよいものである。また、本実施例では固定起毛布１８と外周部の材質がフェルトであるローラーＡ２２およびローラーＢ２３を用いたが、ゴム・フェルト・起毛布のいずれを用いても吸込具本体３が被掃除面と衝突した時の衝撃を吸収することができ、また被掃除面の傷つきを防止する効果は十分発揮できる。さらに、ローラーＡ２２およびローラーＢ２３の材質としてＰＰ等の樹脂を用いた場合は、安価で軽量な吸込具を提供することができる。
【００３２】
上記構成により、吸込具本体３はローラーＡ２２とローラーＢ２３により支持され、掃除機本体７より吸引がかかり電力が供給されると、被掃除面の塵埃は塵埃除去体１７が回転することでかき上げられ、延長管２、手元ハンドル４、ホース６、ホース継ぎ手５を通して掃除機本体７に吸引される。
【００３３】
このように、被掃除面との接触部はローラーＡ２２およびローラーＢ２３で支持しているため操作性がよくかつ耐久性があり、また開口部１５前方は固定起毛布２０で形成しているため壁際での集塵性能が高い吸込具を提供することができる。
【００３４】
また、ローラーＡ２２およびローラーＢ２３を２個に分割することにより支点を分散させることができ、より安定した操作の行える吸込具を提供することができる。
【００３５】
さらに、使用者が吸込具本体３を被掃除面上にて移動操作するとき、接続管９の軸方向の中心軸の延長線の向きに力が作用するが、最後方のローラーＢ２３が、接続管９の軸方向の中心軸の延長線より後方に設けてあるため、前記作用した力は、前後方向に２列以上設けたローラー（Ａ２２、Ｂ２３）間に作用することになるため、操作する際の力を直接支えることができ、操作性が軽くなり使用性を向上できる。
【００３６】
次に、左右対称にローラーＡ２２およびローラーＢ２３を配置することにより吸込具本体３にかかる力を左右均等に支えより安定した操作の行える吸込具を提供することができる。
【００３７】
また、２個のローラーＡ２２の被掃除面との接触部の内側に床面検出レバー２１を設けることにより上下方向へのブレを少なくし安定して動作させることができる吸込具を提供することができる。
【００３８】
さらに、吸込具本体３の部品の中でも重量のある電動機１８を２個のローラーＡ２２の被掃除面との接触部よりも内側に設けることによりバランスが取れ、安定した操作の行える吸込具を提供することができる。
【００３９】
次に、吸込具本体３の部品の中でも長手方向に長い塵埃除去体１７を２個のローラーＡ２２の被掃除面との接触部よりも内側に設けることによりバランスが取れ、安定した操作の行える吸込具を提供することができる。
【００４０】
また、開口部１７の前方の固定起毛布２０を略Ｌ字状にて形成しているため、壁際および被掃除面への傷つきを防止することができる吸込具本体３を提供することができる。
【００４１】
固定起毛布２０に潤滑材を塗布したり、もしくは繊維に含侵させたことにより、被掃除面との摩擦抵抗を減少させ操作性のよい吸込具を提供することができる。
【００４２】
なお、本実施の形態においては、２個のローラーＡ２２、２個のローラーＢ２３は、それぞれ、前記接続管９の最大径部より外方に設けられているが、それぞれのローラー間に前記接続管９の軸方向の中心軸が存在していれば、上記効果を有するものである。
【００４３】
また、前記ローラーＡ２２、ローラーＢ２３は、それぞれ２個に分割しているが、１個に連結されていてもよい。
【産業上の利用可能性】
【００４４】
以上のように、本発明にかかる電気掃除機用吸込具および電気掃除機は、壁際の集塵性能を維持するとともに操作性がよく、かつ耐久性を向上させたることができるので、電気掃除機全般に有用である。
【図面の簡単な説明】
【００４５】
【図１】本発明の第１の実施の形態を示す電気掃除機全体の斜視図
【図２】同電気掃除機用吸込具の上面図
【図３】同電気掃除機用吸込具の下面図
【符号の説明】
【００４６】
１  電気掃除機
３  吸込具本体
７  掃除機本体
９  接続管
１７  塵埃除去体
１８  電動機
２０  固定起毛布
２１  床面検出レバー（床面検出手段）
２２  ローラーＡ
２３  ローラーＢ
【図１】
2005253734.tif 000003
【図２】
2005253734.tif 000004
【図３】
2005253734.tif 000005